(57)【要約】ヘッドセット電力管理システムは、ヘッドセットからの電流の投入の有無にかかわらず、マイクロホン端子における電圧を測定することにより、種々の接続状態を検出することによって、ロバストかつ低電力動作を提供する。電力管理回路は、マイクロホン端子電圧検出器を使用して、ヘッドセットの動作状態を制御し、マイクロホン入力を有していないデバイスへの接続を示す短絡回路が存在するか、デバイスがマイクロホン端子を使用するヘッドセットの接続およびタイプを決定し得ることを示す負の極性電圧が存在するか、通常接続か、またはヘッドセットがデバイスに全く接続されていないかどうかを決定することができる。接続状態に応じて、ヘッドセット電子機器の一部または全部は、通常接続が検出されるまでディスエーブルにされてもよい。例えば、マイクロホン処理回路は、接続がマイクロホン入力をサポートしない場合、ディスエーブルにされてもよい。
2018526874.tif 000002
【特許請求の範囲】
【請求項１】
消費者オーディオデバイス出力ジャックへの接続のためのヘッドセットであって、前記ヘッドセットは、
前記消費者オーディオデバイス出力ジャックへの接続のためのプラグであって、前記プラグは、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含む、プラグと、
少なくとも１つのオーディオ変換器出力信号から音響出力を発生させるための少なくとも１つの出力変換器と、
オーディオ出力回路であって、前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記少なくとも１つのマイクロホン端子における電圧を検出するためのマイクロホン端子電圧検出器と、
前記ヘッドセットの動作状態を制御し、前記マイクロホン端子電圧検出器の出力に結合される入力を有する電力管理制御回路であって、前記電力管理制御回路は、前記少なくとも１つのマイクロホン端子の前記検出された電圧に従って、前記少なくとも１つのアナログ／デジタルコンバータの電力管理状態を制御するように適合されている、電力管理制御回路と
を備える、ヘッドセット。
【請求項２】
前記マイクロホン端子電圧検出器は、前記少なくとも１つのマイクロホン端子におけるバイアス電圧の存在を検出し、前記電力管理制御回路は、前記バイアス電圧の存在の検出に応答して、前記少なくとも１つのアナログ／デジタルコンバータの前記電力管理状態を動作状態に設定する、請求項１に記載のヘッドセット。
【請求項３】
前記マイクロホン端子電圧検出器は、前記少なくとも１つのマイクロホン端子における誤ったバイアス電圧の存在を検出し、前記電力管理制御回路は、前記誤ったバイアス電圧の存在の検出に応答して、前記少なくとも１つのアナログ／デジタルコンバータの前記電力管理状態をパワーダウン状態に設定する、請求項１に記載のヘッドセット。
【請求項４】
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電力管理制御回路はさらに、前記誤ったバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、請求項３に記載のヘッドセット。
【請求項５】
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、請求項１に記載のヘッドセット。
【請求項６】
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、請求項５に記載のヘッドセット。
【請求項７】
消費者オーディオデバイス出力ジャックに接続可能なヘッドセットを動作させるための方法であって、前記方法は、
前記ヘッドセットの少なくとも１つのマイクロホン端子上の電圧を検出することであって、前記ヘッドセットは、前記消費者オーディオデバイス出力ジャックへの接続のためのプラグを含み、前記プラグは、少なくとも１つのオーディオ出力信号を受信するための少なくとも１つの出力端子を含み、前記少なくとも１つのマイクロホン端子は、前記消費者オーディオデバイス出力ジャックのオーディオ入力端子に結合するための端子である、ことと、
前記検出することの結果に従って、前記ヘッドセットの動作状態を制御することであって、前記制御することは、少なくとも１つのアナログ／デジタルコンバータの電力管理状態を制御し、前記少なくとも１つのアナログ／デジタルコンバータは、前記消費者オーディオデバイス出力ジャックにおいて前記消費者オーディオデバイスによって提供される少なくとも１つの出力信号を前記少なくとも１つの出力信号のデジタル表現に変換する、ことと
を含む、方法。
【請求項８】
前記少なくとも１つのマイクロホン端子におけるバイアス電圧の存在を検出することと、
前記バイアス電圧の存在の検出に応答して、前記少なくとも１つのアナログ／デジタルコンバータの前記電力管理状態を動作状態に設定することと
をさらに含む、請求項７に記載の方法。
【請求項９】
前記少なくとも１つのマイクロホン端子における誤ったバイアス電圧の存在を検出することと、
前記誤ったバイアス電圧の存在の検出に応答して、前記少なくとも１つのアナログ／デジタルコンバータの前記電力管理状態をパワーダウン状態に設定することと
をさらに含む、請求項７に記載の方法。
【請求項１０】
マイクロホン要素を用いてマイクロホン信号を発生させることと、
オーディオ入力回路を用いて前記マイクロホン信号を増幅させ、増幅されたマイクロホン信号を前記少なくとも１つのマイクロホン端子に提供することと、
前記誤ったバイアス電圧の存在の検出に応答して、前記電力管理制御回路を用いて、前記オーディオ入力回路の電力管理状態を前記パワーダウン状態に設定することと、
前記少なくとも１つのマイクロホン端子における正しいバイアス電圧の存在を検出することと、
前記電力管理制御回路を用いて、前記オーディオ入力回路の前記電力管理状態を動作状態に設定し、前記少なくとも１つのアナログ／デジタルコンバータの前記電力管理状態を動作状態に設定することと
をさらに含む、請求項９に記載の方法。
【請求項１１】
制御可能電流源を用いて、試験電流を前記少なくとも１つのマイクロホン端子の中に投入することと、
電圧比較器を用いて、前記少なくとも１つのマイクロホン端子における電圧を第１の閾値と比較することにより、前記少なくとも１つのマイクロホン端子における電圧が第１の閾値未満であるかどうかを決定することと、
前記少なくとも１つのアナログ／デジタルコンバータの前記電力管理状態を動作状態に設定することと、
前記少なくとも１つのマイクロホン端子における電圧が前記第１の閾値を上回ることの決定に応答して、前記少なくとも１つのアナログ／デジタルコンバータの前記電力管理状態をパワーダウン状態に設定することと
をさらに含む、請求項７に記載の方法。
【請求項１２】
マイクロホン要素を用いてマイクロホン信号を発生させることと、
オーディオ入力回路を用いて、前記マイクロホン信号を増幅させ、増幅されたマイクロホン信号を前記少なくとも１つのマイクロホン端子に提供することと、
前記電圧比較器を用いて、前記少なくとも１つのマイクロホン端子における電圧を前記第１の閾値未満である第２の閾値と比較することであって、前記第２の閾値は、前記少なくとも１つのマイクロホン端子に対応する前記消費者オーディオデバイス出力ジャックの端子が前記消費者オーディオデバイス出力ジャックの帰還端子に短絡されることを示す、ことと、
前記少なくとも１つのマイクロホン端子が前記帰還端子に短絡されることをマイクロホン端子電圧検出器が検出したことに応答して、前記電力管理制御回路を用いて、前記オーディオ入力回路を前記パワーダウン状態に設定し、前記アナログ／デジタルコンバータを動作状態に設定することと
をさらに含む、請求項１１に記載の方法。
【請求項１３】
消費者オーディオデバイス出力ジャックに接続可能なヘッドセットを動作させるための集積回路であって、前記集積回路は、
前記消費者オーディオデバイス出力ジャックへの接続のためのプラグへの接続のための端子であって、前記端子は、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含み、前記端子は、対応する少なくとも１つの出力変換器への接続のための少なくとも１つの端子であって、少なくとも１つのオーディオ変換器出力信号を前記対応する変換器に提供するための少なくとも１つの端子をさらに備える、端子と、
前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記少なくとも１つのマイクロホン端子における電圧を検出するためのマイクロホン端子電圧検出器と、
前記ヘッドセットの動作状態を制御するための電力管理制御回路であって、前記電力管理制御回路は、前記マイクロホン端子電圧検出器の出力に結合される入力を有し、前記電力管理制御回路は、前記少なくとも１つのマイクロホン端子の前記検出された電圧に従って、前記少なくとも１つのアナログ／デジタルコンバータの電力管理状態を制御するように適合されている、電力管理制御回路と
を備える、集積回路。
【請求項１４】
前記マイクロホン端子電圧検出器は、前記少なくとも１つのマイクロホン端子におけるバイアス電圧の存在を検出し、前記電力管理制御回路は、前記バイアス電圧の存在の検出に応答して、前記少なくとも１つのアナログ／デジタルコンバータの前記電力管理状態を動作状態に設定する、請求項１３に記載の集積回路。
【請求項１５】
前記マイクロホン端子電圧検出器は、前記少なくとも１つのマイクロホン端子における誤ったバイアス電圧の存在を検出し、前記電力管理制御回路は、前記誤ったバイアス電圧の存在の検出に応答して、前記少なくとも１つのアナログ／デジタルコンバータの前記電力管理状態をパワーダウン状態に設定する、請求項１３に記載の集積回路。
【請求項１６】
マイクロホン信号を増幅させ、増幅されたマイクロホン信号を前記少なくとも１つのマイクロホン端子に提供するためのオーディオ入力回路をさらに備え、前記電力管理制御回路はさらに、前記誤ったバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、請求項１５に記載の集積回路。
【請求項１７】
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、請求項１３に記載の集積回路。
【請求項１８】
マイクロホン信号を増幅させ、増幅されたマイクロホン信号を前記少なくとも１つのマイクロホン端子に提供するためのオーディオ入力回路をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、請求項１７に記載の集積回路。
【発明の詳細な説明】
【技術分野】
【０００１】
（発明の分野）
本発明は、概して、無線電話およびメディアプレーヤ等のパーソナルオーディオデバイスのための回路に関し、より具体的には、ヘッドセットのマイクロホン端子において検出された特性に基づいて、切断可能ヘッドセット内の回路を管理する回路および方法に関する。
【背景技術】
【０００２】
（発明の背景）
切断可能ヘッドセットは、多くの場合、無線電話、パーソナルメディアプレーヤ、およびヘッドセットへの接続を提供する他のデバイスと併用される。最近、ヘッドセットは、周囲雑音消去等の用途のためのアクティブ電子機器を組み込んでおり、また、その独自の電源を含み、典型的には、ヘッドセットかヘッドセットケーブルに沿って配置されるドングルかのいずれか内に含まれるバッテリである。
【０００３】
他のバッテリ動作式機器と同様に、エネルギーが実際に使用されていないとき、例えば、ヘッドセットが切断される、またはオーディオデバイスが非アクティブであるとき、バッテリエネルギーを節約するために、ヘッドセットの少なくとも一部をパワーダウンモードにすることが望ましい。さらに、バッテリ動作式ヘッドセットは、典型的には、ゲインステージを含み、より高い入力インピーダンスを有し、したがって、切断されているヘッドセットの開接続部、またはヘッドセットが接続されるデバイスと適切に構成されていない接続されてたヘッドセットは、可聴雑音を発生させ得る。
【０００４】
したがって、可聴干渉を発生させずにヘッドセット電子機器の電力管理を提供する、ヘッドセットを提供することが望ましい。
【発明の概要】
【課題を解決するための手段】
【０００５】
（発明の開示）
バッテリ電力を節約し、可聴雑音の発生を回避するためのヘッドセット電子機器の管理を提供する前述の目的は、ヘッドセット内の回路、集積回路、および回路の動作方法において提供される。
【０００６】
本回路は、ヘッドセットの動作状態を制御する電力管理制御回路と、ヘッドセットを消費者オーディオデバイス出力ジャックに接続するために使用されるプラグの少なくともマイクロホン端子上の電圧を検出するためのマイクロホン端子電圧検出器とを含む。本回路はまた、消費者オーディオデバイスからプラグに供給される少なくとも１つのオーディオ出力信号を少なくとも１つのデジタル表現に変換するアナログ／デジタルコンバータ（ＡＤＣ）と、変換器出力信号を発生させるための少なくとも１つのデジタル／アナログコンバータ（ＤＡＣ）回路とを含む。電力管理制御回路は、少なくとも１つのマイクロホン端子の検出された電圧に従って、ＡＤＣの動作状態と、随意に、ＤＡＣの動作状態とを制御する。
【０００７】
本発明の前述および他の目的、特徴、および利点は、付随の図面に図示されるように、本発明の好ましい実施形態の以下のより具体的説明から明白となる。
【図面の簡単な説明】
【０００８】
【図１】図１は、ヘッドセット３０に接続されるパーソナルオーディオデバイス１０の図示である。
【０００９】
【図２】図２は、パーソナルオーディオデバイス１０とヘッドセット３０との間の接続を描写するブロック図である。
【００１０】
【図３】図３は、ヘッドセット３０の内部回路を描写する簡略化された概略図である。
【００１１】
【図４】図４は、図３の電力管理ブロック３２の詳細を描写する簡略化された概略図である。
【００１２】
【図５】図５は、パーソナルオーディオデバイスの動作を描写するフローチャートである。
【発明を実施するための形態】
【００１３】
（発明を実施するための最良の形態）
本開示は、無線電話、メディアプレーヤ、および他の消費者パーソナルオーディオ再生デバイス等のパーソナルオーディオデバイスへの接続のためのイヤホンまたはヘッドホン等のヘッドセットを包含する。ヘッドセットは、接続と、いくつかの事例では、パーソナルオーディオデバイスからの接続のタイプとを検出し、接続および接続タイプに基づいて、電力消費および雑音除去を管理する。
【００１４】
図１は、一対のイヤーバドスピーカ８Ａおよび８Ｂの形態におけるヘッドセット３０に接続される、パーソナルオーディオデバイス１０の実施例を示し、一対のイヤーバドスピーカ８Ａおよび８Ｂの一方は、マイクロホン要素６を含む。ヘッドセット３０は、例示にすぎず、ヘッドホン、イヤーバド、インイヤーイヤホン、および外部スピーカを含む、他のタイプのヘッドホンがパーソナルオーディオデバイス１０に接続されてもよく、そのいずれも、本明細書に開示されるような特徴を組み込み得ることを理解されたい。標準化されたプラグ４は、ヘッドセット３０とパーソナルオーディオデバイス１０との接続を提供する。プラグ４は、機械的構成において標準化されるが、ヘッドセット３０およびパーソナルオーディオデバイス１０の接続は、タイプ毎に変動してもよい。また、電気接点の数も、ヘッドセット３０内に含まれる変換器の数、または、特定のパーソナルオーディオデバイス１０への接続のために予期される変換器の数に応じて、構成毎に変動してもよい。例えば、電話タイプコネクタの先端端子とシェル（バレル）端子との間に配置される、１つまたは複数のリング端子を含むことによって、端子の数は、変更され得、以下の実施例に図示されるように、ヘッドセット３０は、マイクロホン端子を含む代わりに出力変換器のための端子のみを有するパーソナルオーディオデバイス１０に接続されていることを決定してもよい。
【００１５】
図２は、パーソナルオーディオデバイス１０およびヘッドセット３０内の回路の実施例を示し、プラグ４によって行われる接続を示す。パーソナルオーディオデバイス１０は、ヘッドセット３０のプラグ４を受け取るジャック（レセプタクル）５を含む。プラグ４の先端における２つの端子は、概して、パーソナルオーディオデバイス１０からの出力接続であり、ヘッドセット増幅器ＨＡ１およびＨＡ２の出力から提供されるように図示され、ヘッドセット増幅器ＨＡ１およびＨＡ２は、例えば、記憶されたオーディオデータからの出力オーディオまたは電話網インターフェース回路２４から提供されるダウンリンクオーディオを発生させるオーディオコーデック２２の出力を増幅させる。他の２つの端子は、ヘッドセット３０の一部を形成する外部マイクロホンからの接続を受け取る。マイクロホンバイアス発生器２８は、給電されていないヘッドセットのマイクロホン回路を動作させるために、バイアス電圧をマイクロホン端子４Ａに提供し、マイクロホン前置増幅器ＰＡは、外部マイクロホンから受信されたオーディオの信号レベルをブーストするために提供される。
【００１６】
例示的ヘッドセット３０は、バッテリＢＡＴＴによって動作される給電式ヘッドセットであり、バッテリＢＡＴＴは、電力管理ブロック３２を通して、マイクロホンＭＩＣからの信号を処理するマイクロホン回路３４と、変換器ＳＰ１およびＳＰ２による再現のための出力オーディオ信号を発生させる出力回路３６とに結合される。電力管理ブロック３２はまた、プラグ４のマイクロホン端子に結合され、マイクロホン端子４Ａ上の電圧レベルを検出する。電力管理ブロック３２はまた、パーソナルオーディオデバイスのレセプタクル５によって提供される接続のタイプを決定するため、および、プラグ４がデバイスのレセプタクルにそもそも接続されているかどうかを決定するために、特定の状態下において、電流をマイクロホン端子４Ａの中に投入する。
【００１７】
図３は、ヘッドセット３０内の回路の詳細を示す。ヘッドセット集積回路（ＩＣ）４０は、電力管理ブロック３２と、マイクロホン回路３４と、出力回路３６とを組み込む。ヘッドセットＩＣ４０の外部において、キャパシタＣ１−Ｃ４は、パーソナルオーディオデバイス１０から出力された信号を、プラグ４を通して出力回路３６の入力へＡＣ結合することを提供し、出力回路３６は、受信された信号を処理し、変換器ＳＰ１およびＳＰ２による再現のために増幅させる。出力回路は、アナログ／デジタルコンバータ（ＡＤＣ）ＡＤＣ１およびＡＤＣ２を含み、これは、受信された信号をデジタルドメインに変換する。変換された値は、デジタル信号プロセッサ（ＤＳＰ）ＤＳＰ１−ＤＳＰ２によって処理され、例えば、平衡化、適応雑音消去、および他の形態の信号処理を提供する。処理されたオーディオは、デジタル／アナログコンバータ（ＤＡＣ）ＤＡＣ１−ＤＡＣ２によってアナログドメインに逆変換され、増幅器Ａ１およびＡ２によって増幅され、変換器ＳＰ１およびＳＰ２を駆動させるための出力信号を提供する。プラグ４からのオーディオ入力信号のための帰還電流経路は、プラグ４の共通端子４ＢとバッテリＢＡＴＴの負の端子との間に接続される、抵抗器ＲＩＳＯを含む。
【００１８】
マイクロホンＭＩＣもまた、一対のキャパシタＣ５およびＣ６によってヘッドセットＩＣ４０にＡＣ結合されるが、ヘッドセット３０のための動作電力を供給するバッテリＢＡＴＴの基準（接地）端子と、抵抗器ＲＢを介して、概して、エレクトレットタイプコンデンサマイクロホンであるマイクロホンＭＩＣのための動作電圧を供給するマイクバイアス回路３５とにＤＣ結合される。マイクロホン回路３４は、ＡＤＣ  ＡＤＣ３の入力において、マイクロホンＭＩＣから出力信号を受信し、ＡＤＣ  ＡＤＣ３は、マイクロホン信号をデジタルドメインに変換し、変換されたオーディオ情報を別のＤＳＰ  ＤＳＰ３に提供し、ＤＳＰ  ＤＳＰ３は、マイクロホン信号を処理し、デジタル出力をＤＡＣ  ＤＡＣ３に提供する。ＤＡＣ  ＤＡＣ３の出力は、増幅器Ａ３によってバッファされ、抵抗器ＲＯを介して、プラグ４のマイクロホン端子４Ａに提供される。増幅器Ａ３は、増幅器Ａ３への接続を介して、プラグ４の端子４Ｂに参照される。前述のように、マイクロホン端子４Ａは、接続検出器３８におけるマイクロホン端子４Ａの電圧Ｖｍｉｃを測定および／または比較する電力管理ブロック３２に結合され、接続検出器３８は、出力を電力供給制御ブロック３９に提供する。電力供給制御ブロック３９は、供給電圧ＶＳ１およびＶＳ２をそれぞれイネーブルおよびディスエーブルにすることによって、マイクロホン回路３４および出力回路３６に供給される電力を制御する。概して、供給電圧ＶＳ２は、電力をＡＤＣ  ＡＤＣ１−ＡＤＣ２に供給するために使用される一方、ＤＳＰ  ＤＳＰ１−ＤＳＰ２、ＤＡＣ  ＤＡＣ１−ＤＡＣ２、および増幅器Ａ１−Ａ２への電力は、ヘッドセットがオンにされるとアクティブとなる一次電力供給源ＶＤＤによって供給され、これにより、ＡＤＣ  ＡＤＣ１−ＡＤＣ２をディスエーブルにすることによって、電力が無駄にされず、雑音が防止されるが、アクティブ雑音消去動作が、出力回路３６によって継続され得る。ダイオードＤ１は、マイクロホン端子４Ａに印加される外部信号がダイオードＤ１の順方向バイアス電圧降下（≒０．７Ｖ）より負になることを防止するために提供される。代替として、制御信号が、電力供給制御ブロック３９からマイクロホン回路３４および出力回路３６に送信され（すなわち、供給電圧ＶＳ１およびＶＳ２の代わりに）、マイクロホン回路３４および出力回路３６の一方または両方を低電力またはパワーダウン状態に設定し得る。そのような実装では、マイクロホン回路３４および出力回路３６への電力供給入力は、一次電力供給源ＶＤＤから提供されることができる。
【００１９】
図４は、接続検出器３８と電力供給制御ブロック３９とを含む例示的電力管理ブロック３２の詳細を示す。接続検出器３８は、プラグ４のマイクロホン端子４Ａにおける電圧Ｖｍｉｃを、実施例では０．９Ｖである閾値電圧Ｖｔｈ１と比較する比較器Ｋ１を含む。他の比較器も随意に、プラグ４のマイクロホン端子４Ａにおける電圧Ｖｍｉｃが規定された最大値、例えば、１．３５Ｖ未満であることを確実にするために提供されてもよい。電流源ＩＴは、電力供給制御ブロック３９内の制御論理３７から提供される制御信号によって制御されるスイッチＳＷ１によって、マイクロホン端子４Ａに結合される。制御論理３７はまた、トランジスタＰ１およびＰ２を制御し、それぞれ、供給電圧ＶＳ１およびＶＳ２をイネーブルおよびディスエーブルにする。以下の表Ｉは、プラグ４のマイクロホン端子４Ａにおける電圧Ｖｍｉｃとプラグ４の接続タイプおよび状態との間の関係を図示する。スイッチＳＷ１は、マイクロホン端子４Ａにおけるインピーダンスを測定するようにイネーブルにされ、プラグ４が切断されているかどうか、またはプラグ４が、マイクロホン入力を有していない、すなわち、ヘッドホン専用デバイスであるデバイスのジャック内に挿入されているかどうかを決定する。電流源ＩＴの大きさは、比較器Ｋ１および閾値電圧Ｖｔｈ１が、スイッチＳＷ１のときの前述の決定、ならびに、スイッチＳＷ１が開放されるときの通常ヘッドセット接続の決定を行うために使用され得るように、または別の比較器および閾値電圧が提供され得るように、または閾値電圧Ｖｔｈ１がプログラム可能にされることができるように、選択されることができる。代替として、接続検出器３８は、電圧Ｖｍｉｃの測定値を本明細書に説明される決定を行う論理またはプロセッサ実行アルゴリズムに提供するＡＤＣによって実装されることができる。比較器Ｋ２は、マイクロホン端子４Ａにおける電圧Ｖｍｉｃを、０Ｖまたは負の電圧値に設定され得る別の閾値電圧Ｖｔｈ２と比較し、プラグ４が、ヘッドセット検出を行っており、したがって、マイクロホンバイアス電圧の極性を逆転させているデバイスに接続されているかどうかの決定を行う。前述のようなヘッドセット検出技法は、「ＨＥＡＤＳＥＴ  ＴＹＰＥ  ＤＥＴＥＣＴＩＯＮ  ＡＮＤ  ＣＯＮＦＩＧＵＲＡＴＩＯＮ  ＴＥＣＨＮＩＱＵＥＳ」と題された米国特許公開ＵＳ−２０１４００５０３３０−Ａ１に開示されており、本開示は、参照によって本明細書に援用される。
【表１】
2018526874.tif 000003
【００２０】
図５は、前述のヘッドセット内で行われ得るようなヘッドホン電力管理方法を図示するフローチャートである。第１のスイッチＳ１が、開状態に設定され、マイクロホン端子電圧Ｖｍｉｃが、測定される（ステップ４０）。マイクロホン端子電圧Ｖｍｉｃが０Ｖ未満または１．３５Ｖを上回る場合（決定４１）、供給電圧ＶＳ１およびＶＳ２は、ディスエーブルにされる（ステップ４７）。タイムアウトが生じると（決定４８）、ステップ４０からのプロセスが、再び繰り返され、再び、マイクロホン端子電圧Ｖｍｉｃが０Ｖ未満または１．３５Ｖを上回るかどうかを決定する（決定４１）。マイクロホン端子電圧Ｖｍｉｃが、０Ｖを上回り、１．３５Ｖ未満である場合（決定４１）、次いで、マイクロホン端子電圧Ｖｍｉｃが、０．９Ｖを上回る場合（決定４２）、供給電圧ＶＳ１およびＶＳ２は、イネーブルにされる（ステップ４３）。マイクロホン端子電圧Ｖｍｉｃが、０．９Ｖを上回らない場合（決定４２）、スイッチＳＷ１は、閉鎖され、電流源ＩＴから電流を投入し（ステップ４４）、マイクロホン端子電圧Ｖｍｉｃが閾値電圧Ｖｔｈ２未満である場合、マイクロホン端子４Ａが共通端子４Ｂに短絡されていると推定されるため、供給電圧ＶＳ１は、ディスエーブルにされ、供給電圧ＶＳ２は、イネーブルにされる（ステップ４６）。そうでなはなく、マイクロホン端子電圧Ｖｍｉｃが、閾値電圧Ｖｔｈ２を上回る場合（決定４５）、プラグ４は、切断されていると推定され、供給電圧ＶＳ１およびＶＳ２は、ディスエーブルにされる（ステップ４６）。いったんヘッドセット状態が決定され、供給電圧ＶＳ１およびＶＳ２の状態が設定されると、周期的であり得る、または電話の会話の開始／終了、再生リストトラック変更等のイベントによってトリガされ得る、再チェックが開始されるまで（決定４９）、供給電圧ＶＳ１およびＶＳ２の状態は、維持される。再チェックが開始される場合（決定４９）、ヘッドセットがシャットダウンされるまで（決定５０）、ステップ４０−４８は、繰り返される。
【００２１】
本発明は、特に、その好ましい実施形態を参照して図示および説明されたが、形態および詳細における以前および他の変形例も本発明の精神および範囲から逸脱することなく、本明細書において行なわれてもよいことが、当業者によって理解される。
（項目１）
消費者オーディオデバイス出力ジャックへの接続のためのヘッドセットであって、前記ヘッドセットは、
前記消費者オーディオデバイス出力ジャックへの接続のためのプラグであって、前記プラグは、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含む、プラグと、
少なくとも１つのオーディオ変換器出力信号から音響出力を発生させるための少なくとも１つの出力変換器と、
オーディオ出力回路であって、前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記少なくともマイクロホン端子における電圧を検出するためのマイクロホン端子電圧検出器と、
前記ヘッドセットの動作状態を制御し、前記マイクロホン端子電圧検出器の出力に結合される入力を有する電力管理制御回路であって、前記電力管理制御回路は、前記少なくとも１つのマイクロホン端子の前記検出された電圧に従って、前記少なくとも１つのアナログ／デジタルコンバータの電力管理状態を制御する、電力管理制御回路と
を備える、ヘッドセット。
（項目２）
前記マイクロホン端子電圧検出器は、前記少なくとも１つのマイクロホン端子におけるバイアス電圧の存在を検出し、前記電力管理制御回路は、前記バイアス電圧の存在の検出に応答して、前記少なくとも１つのアナログ／デジタルコンバータの前記電力管理状態を動作状態に設定する、項目１に記載のヘッドセット。
（項目３）
前記マイクロホン端子電圧検出器は、前記少なくとも１つのマイクロホン端子における誤ったバイアス電圧の存在を検出し、前記電力管理制御回路は、前記誤ったバイアス電圧の存在の検出に応答して、前記少なくとも１つのアナログ／デジタルコンバータの前記電力管理状態をパワーダウン状態に設定する、項目１に記載のヘッドセット。
（項目４）
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電力管理制御回路はさらに、前記誤ったバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、項目３に記載のヘッドセット。
（項目５）
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、項目１に記載のヘッドセット。
（項目６）
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、項目５に記載のヘッドセット。
（項目７）
消費者オーディオデバイス出力ジャックに接続可能なヘッドセットを動作させるための方法であって、前記方法は、
前記ヘッドセットの少なくとも１つのマイクロホン端子上の電圧を検出することであって、前記ヘッドセットは、前記消費者オーディオデバイス出力ジャックへの接続のためのプラグを含み、前記プラグは、少なくとも１つのオーディオ出力信号を受信するための少なくとも１つの出力端子を含み、前記少なくとも１つのマイクロホン端子は、前記消費者オーディオデバイス出力ジャックのオーディオ入力端子に結合するための端子である、ことと、
前記検出することの結果に従って、前記ヘッドセットの動作状態を制御することであって、前記制御することは、少なくとも１つのアナログ／デジタルコンバータの電力管理状態を制御し、前記少なくとも１つのアナログ／デジタルコンバータは、前記消費者オーディオデバイス出力ジャックにおいて前記消費者オーディオデバイスによって提供される少なくとも１つの出力信号を前記少なくとも１つの出力信号のデジタル表現に変換する、ことと
を含む、方法。
（項目８）
前記少なくとも１つのマイクロホン端子におけるバイアス電圧の存在を検出することと、
前記バイアス電圧の存在の検出に応答して、前記少なくとも１つのアナログ／デジタルコンバータの前記電力管理状態を動作状態に設定することと
をさらに含む、項目７に記載の方法。
（項目９）
前記少なくとも１つのマイクロホン端子における誤ったバイアス電圧の存在を検出することと、
前記誤ったバイアス電圧の存在の検出に応答して、前記少なくとも１つのアナログ／デジタルコンバータの前記電力管理状態をパワーダウン状態に設定することと
をさらに含む、項目７に記載の方法。
（項目１０）
マイクロホン要素を用いてマイクロホン信号を発生させることと、
オーディオ入力回路を用いて前記マイクロホン信号を増幅させ、増幅されたマイクロホン信号を前記少なくとも１つのマイクロホン端子に提供することと、
前記誤ったバイアス電圧の存在の検出に応答して、前記電力管理制御回路を用いて、前記オーディオ入力回路の電力管理状態を前記パワーダウン状態に設定することと、
前記少なくとも１つのマイクロホン端子における正しいバイアス電圧の存在を検出することと、
前記電力管理制御回路を用いて、前記オーディオ入力回路の前記電力管理状態を動作状態に設定し、前記少なくとも１つのアナログ／デジタルコンバータの前記電力管理状態を動作状態に設定することと
をさらに含む、項目９に記載の方法。
（項目１１）
制御可能電流源を用いて、試験電流を前記少なくとも１つのマイクロホン端子の中に投入することと、
電圧比較器を用いて、前記少なくとも１つのマイクロホン端子における電圧を第１の閾値と比較することにより、前記少なくとも１つのマイクロホン端子における電圧が第１の閾値未満であるかどうかを決定することと、
前記少なくとも１つのアナログ／デジタルコンバータの前記電力管理状態を動作状態に設定することと、
前記少なくとも１つのマイクロホン端子における電圧が前記第１の閾値を上回ることの決定に応答して、前記少なくとも１つのアナログ／デジタルコンバータの前記電力管理状態をパワーダウン状態に設定することと
をさらに含む、項目７に記載の方法。
（項目１２）
マイクロホン要素を用いてマイクロホン信号を発生させることと、
オーディオ入力回路を用いて、前記マイクロホン信号を増幅させ、増幅されたマイクロホン信号を前記少なくとも１つのマイクロホン端子に提供することと、
前記電圧比較器を用いて、前記少なくとも１つのマイクロホン端子における電圧を前記第１の閾値未満である第２の閾値と比較することであって、前記第２の閾値は、前記少なくとも１つのマイクロホン端子に対応する前記消費者オーディオデバイス出力ジャックの端子が前記消費者オーディオデバイス出力ジャックの帰還端子に短絡されることを示す、ことと、
前記少なくとも１つのマイクロホン端子が前記帰還端子に短絡されることをマイクロホン端子電圧検出器が検出したことに応答して、前記電力管理制御回路を用いて、前記オーディオ入力回路を前記パワーダウン状態に設定し、前記アナログ／デジタルコンバータを動作状態に設定することと
をさらに含む、項目１１に記載の方法。
（項目１３）
消費者オーディオデバイス出力ジャックに接続可能なヘッドセットを動作させるための集積回路であって、前記集積回路は、
前記消費者オーディオデバイス出力ジャックへの接続のためのプラグへの接続のための端子であって、前記端子は、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含み、前記端子は、対応する少なくとも１つの出力変換器への接続のための少なくとも１つの端子であって、少なくとも１つのオーディオ変換器出力信号を前記対応する変換器に提供するための少なくとも１つの端子をさらに備える、端子と、
前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記少なくともマイクロホン端子における電圧を検出するためのマイクロホン端子電圧検出器と、
前記ヘッドセットの動作状態を制御するための電力管理制御回路であって、前記電力管理制御回路は、前記マイクロホン端子電圧検出器の出力に結合される入力を有し、前記電力管理制御回路は、前記少なくとも１つのマイクロホン端子の前記検出された電圧に従って、前記少なくとも１つのアナログ／デジタルコンバータの電力管理状態を制御する、電力管理制御回路と
を備える、集積回路。
（項目１４）
前記マイクロホン端子電圧検出器は、前記少なくとも１つのマイクロホン端子におけるバイアス電圧の存在を検出し、前記電力管理制御回路は、前記バイアス電圧の存在の検出に応答して、前記少なくとも１つのアナログ／デジタルコンバータの前記電力管理状態を動作状態に設定する、項目１３に記載の集積回路。
（項目１５）
前記マイクロホン端子電圧検出器は、前記少なくとも１つのマイクロホン端子における誤ったバイアス電圧の存在を検出し、前記電力管理制御回路は、前記誤ったバイアス電圧の存在の検出に応答して、前記少なくとも１つのアナログ／デジタルコンバータの前記電力管理状態をパワーダウン状態に設定する、項目１３に記載の集積回路。
（項目１６）
マイクロホン信号を増幅させ、増幅されたマイクロホン信号を前記少なくとも１つのマイクロホン端子に提供するためのオーディオ入力回路をさらに備え、前記電力管理制御回路はさらに、前記誤ったバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、項目１５に記載の集積回路。
（項目１７）
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、項目１３に記載の集積回路。
（項目１８）
マイクロホン信号を増幅させ、増幅されたマイクロホン信号を前記少なくとも１つのマイクロホン端子に提供するためのオーディオ入力回路をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、項目１７に記載の集積回路。
【図１】
2018526874.tif 000004
【図２】
2018526874.tif 000005
【図３】
2018526874.tif 000006
【図４】
2018526874.tif 000007
【図５】
2018526874.tif 000008
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
消費者オーディオデバイス出力ジャックへの接続のためのヘッドセットであって、前記ヘッドセットは、
前記消費者オーディオデバイス出力ジャックへの接続のためのプラグであって、前記プラグは、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含む、プラグと、
少なくとも１つのオーディオ変換器出力信号から音響出力を発生させるための少なくとも１つの出力変換器と、
オーディオ出力回路であって、前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記アナログ／デジタルコンバータの出力に結合され、前記デジタル／アナログコンバータ回路の入力に結合されたデジタル信号プロセッサであって、前記デジタル信号プロセッサは、前記少なくとも１つのデジタル表現を受信し、前記デジタル／アナログコンバータ回路の前記入力に提供されるデジタル出力を前記少なくとも１つのデジタル表現から生成する、デジタル信号プロセッサと、
前記少なくとも１つのマイクロホン端子におけるマイクロホンバイアス電圧の存在または不在を検出するためのマイクロホン端子電圧検出器と、
前記ヘッドセットの動作状態を制御し、前記マイクロホン端子電圧検出器の出力に結合される入力を有する電力管理制御回路であって、前記電力管理制御回路は、前記少なくとも１つのマイクロホン端子のマイクロホンバイアス電圧の検出された存在または不在に従って、前記少なくとも１つのアナログ／デジタルコンバータの電力管理状態を制御する、電力管理制御回路と
を備える、ヘッドセット。
【請求項２】
前記マイクロホン端子電圧検出器は、前記少なくとも１つのマイクロホン端子における前記マイクロホンバイアス電圧の存在を検出し、前記電力管理制御回路は、前記バイアス電圧の存在の検出に応答して、前記少なくとも１つのアナログ／デジタルコンバータの前記電力管理状態を動作状態に設定する、請求項１に記載のヘッドセット。
【請求項３】
前記マイクロホン端子電圧検出器は、前記少なくとも１つのマイクロホン端子における誤ったマイクロホンバイアス電圧の存在をさらに検出し、前記電力管理制御回路は、前記誤ったマイクロホンバイアス電圧の存在の検出に応答して、前記少なくとも１つのアナログ／デジタルコンバータの前記電力管理状態をパワーダウン状態に設定する、請求項１に記載のヘッドセット。
【請求項４】
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電力管理制御回路はさらに、前記誤ったマイクロホンバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいマイクロホンバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、請求項３に記載のヘッドセット。
【請求項５】
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、請求項１に記載のヘッドセット。
【請求項６】
マイクロホン信号を発生させるためのマイクロホン要素と、
前記マイクロホン信号を増幅させ、増幅されたマイクロホン信号を前記少なくとも１つのマイクロホン端子に提供するためのオーディオ入力回路と
をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、請求項５に記載のヘッドセット。
【請求項７】
消費者オーディオデバイス出力ジャックに接続可能なヘッドセットを動作させるための方法であって、前記方法は、
前記ヘッドセットの少なくとも１つのマイクロホン端子上のマイクロホンバイアス電圧の存在または不在を検出することであって、前記ヘッドセットは、前記消費者オーディオデバイス出力ジャックへの接続のためのプラグを含み、前記プラグは、少なくとも１つのオーディオ出力信号を受信するための少なくとも１つの出力端子を含み、前記少なくとも１つのマイクロホン端子は、前記消費者オーディオデバイス出力ジャックのオーディオ入力端子に結合するための端子である、ことと、
前記検出することの結果に従って、前記ヘッドセットの動作状態を制御することであって、前記制御することは、少なくとも１つのアナログ／デジタルコンバータの電力管理状態を制御し、前記少なくとも１つのアナログ／デジタルコンバータは、前記消費者オーディオデバイス出力ジャックにおいて前記消費者オーディオデバイスによって提供される少なくとも１つの出力信号を前記少なくとも１つの出力信号のデジタル表現に変換する、ことと
を含む、方法。
【請求項８】
前記少なくとも１つのマイクロホン端子におけるマイクロホンバイアス電圧の存在を検出することと、
前記バイアス電圧の存在の検出に応答して、前記少なくとも１つのアナログ／デジタルコンバータの前記電力管理状態を動作状態に設定することと
をさらに含む、請求項７に記載の方法。
【請求項９】
前記少なくとも１つのマイクロホン端子における誤ったマイクロホンバイアス電圧の存在を検出することと、
前記誤ったマイクロホンバイアス電圧の存在の検出に応答して、前記少なくとも１つのアナログ／デジタルコンバータの前記電力管理状態をパワーダウン状態に設定することと
をさらに含む、請求項７に記載の方法。
【請求項１０】
マイクロホン要素を用いてマイクロホン信号を発生させることと、
オーディオ入力回路を用いて前記マイクロホン信号を増幅させ、増幅されたマイクロホン信号を前記少なくとも１つのマイクロホン端子に提供することと、
前記誤ったバイアス電圧の存在の検出に応答して、前記電力管理制御回路を用いて、前記オーディオ入力回路の電力管理状態を前記パワーダウン状態に設定することと、
前記少なくとも１つのマイクロホン端子における正しいマイクロホンバイアス電圧の存在を検出することと、
前記電力管理制御回路を用いて、前記オーディオ入力回路の前記電力管理状態を動作状態に設定し、前記少なくとも１つのアナログ／デジタルコンバータの前記電力管理状態を動作状態に設定することと
をさらに含む、請求項９に記載の方法。
【請求項１１】
制御可能電流源を用いて、試験電流を前記少なくとも１つのマイクロホン端子の中に投入することと、
電圧比較器を用いて、前記少なくとも１つのマイクロホン端子における電圧を第１の閾値と比較することにより、前記少なくとも１つのマイクロホン端子における電圧が第１の閾値未満であるかどうかを決定することと、
前記少なくとも１つのアナログ／デジタルコンバータの前記電力管理状態を動作状態に設定することと、
前記少なくとも１つのマイクロホン端子における電圧が前記第１の閾値を上回ることの決定に応答して、前記少なくとも１つのアナログ／デジタルコンバータの前記電力管理状態をパワーダウン状態に設定することと
をさらに含む、請求項７に記載の方法。
【請求項１２】
マイクロホン要素を用いてマイクロホン信号を発生させることと、
オーディオ入力回路を用いて、前記マイクロホン信号を増幅させ、増幅されたマイクロホン信号を前記少なくとも１つのマイクロホン端子に提供することと、
前記電圧比較器を用いて、前記少なくとも１つのマイクロホン端子における電圧を前記第１の閾値未満である第２の閾値と比較することであって、前記第２の閾値は、前記少なくとも１つのマイクロホン端子に対応する前記消費者オーディオデバイス出力ジャックの端子が前記消費者オーディオデバイス出力ジャックの帰還端子に短絡されることを示す、ことと、
前記少なくとも１つのマイクロホン端子が前記帰還端子に短絡されることをマイクロホン端子電圧検出器が検出したことに応答して、前記電力管理制御回路を用いて、前記オーディオ入力回路を前記パワーダウン状態に設定し、前記アナログ／デジタルコンバータを動作状態に設定することと
をさらに含む、請求項１１に記載の方法。
【請求項１３】
消費者オーディオデバイス出力ジャックに接続可能なヘッドセットを動作させるための集積回路であって、前記集積回路は、
前記消費者オーディオデバイス出力ジャックへの接続のためのプラグへの接続のための端子であって、前記端子は、少なくとも１つのオーディオ出力信号を受信するための少なくとも１つの出力端子と、前記消費者オーディオデバイス出力ジャックのオーディオ入力端子に結合するための少なくとも１つのマイクロホン端子とを含み、前記端子は、対応する少なくとも１つの出力変換器への接続のための少なくとも１つの端子であって、少なくとも１つのオーディオ変換器出力信号を前記対応する変換器に提供するための少なくとも１つの端子をさらに備える、端子と、
前記少なくとも１つのオーディオ出力信号を少なくとも１つのデジタル表現に変換するための少なくとも１つのアナログ／デジタルコンバータと、前記少なくとも１つの変換器出力信号を発生させるための少なくとも１つのデジタル／アナログコンバータ回路とを含むオーディオ出力回路と、
前記アナログ／デジタルコンバータの出力に結合され、前記デジタル／アナログコンバータ回路の入力に結合されたデジタル信号プロセッサであって、前記デジタル信号プロセッサは、前記少なくとも１つのデジタル表現を受信し、前記デジタル／アナログコンバータ回路の前記入力に提供されるデジタル出力を前記少なくとも１つのデジタル表現から生成する、デジタル信号プロセッサと、
前記少なくとも１つのマイクロホン端子におけるマイクロホンバイアス電圧の存在または不在を検出するためのマイクロホン端子電圧検出器と、
前記ヘッドセットの動作状態を制御するための電力管理制御回路であって、前記電力管理制御回路は、前記マイクロホン端子電圧検出器の出力に結合される入力を有し、前記電力管理制御回路は、前記少なくとも１つのマイクロホン端子の前記検出された電圧に従って、前記少なくとも１つのアナログ／デジタルコンバータの電力管理状態を制御する、電力管理制御回路と
を備える、集積回路。
【請求項１４】
前記マイクロホン端子電圧検出器は、前記少なくとも１つのマイクロホン端子における前記マイクロホンバイアス電圧の存在を検出し、前記電力管理制御回路は、前記バイアス電圧の存在の検出に応答して、前記少なくとも１つのアナログ／デジタルコンバータの前記電力管理状態を動作状態に設定する、請求項１３に記載の集積回路。
【請求項１５】
前記マイクロホン端子電圧検出器は、前記少なくとも１つのマイクロホン端子における誤ったマイクロホンバイアス電圧の存在をさらに検出し、前記電力管理制御回路は、前記誤ったマイクロホンバイアス電圧の存在の検出に応答して、前記少なくとも１つのアナログ／デジタルコンバータの前記電力管理状態をパワーダウン状態に設定する、請求項１３に記載の集積回路。
【請求項１６】
マイクロホン信号を増幅させ、増幅されたマイクロホン信号を前記少なくとも１つのマイクロホン端子に提供するためのオーディオ入力回路をさらに備え、前記電力管理制御回路はさらに、前記誤ったマイクロホンバイアス電圧の存在の検出に応答して、前記オーディオ入力回路の電力管理状態を前記パワーダウン状態に設定し、前記マイクロホン端子電圧検出器が前記少なくとも１つのマイクロホン端子における正しいマイクロホンバイアス電圧の存在を検出する場合、前記電力管理制御回路は、前記オーディオ入力回路の前記電力管理状態を動作状態に設定し、前記少なくとも１つのアナログ／デジタルコンバータの前記電力管理状態を動作状態に設定する、請求項１５に記載の集積回路。
【請求項１７】
前記マイクロホン端子電圧検出器は、
試験電流を前記少なくとも１つのマイクロホン端子の中に投入するための制御可能電流源と、
電圧比較器であって、前記少なくとも１つのマイクロホン端子における電圧を第１の閾値と比較することにより、前記少なくとも１つのマイクロホン端子における電圧が第１の閾値未満であるかどうかを決定し、前記少なくとも１つのアナログ／デジタルコンバータの前記電力管理状態を動作状態に設定し、前記少なくとも１つのマイクロホン端子における電圧が前記第１の閾値を上回ることの決定に応答して、前記少なくとも１つのアナログ／デジタルコンバータの前記電力管理状態をパワーダウン状態に設定する電圧比較器と
を備える、請求項１３に記載の集積回路。
【請求項１８】
マイクロホン信号を増幅させ、増幅されたマイクロホン信号を前記少なくとも１つのマイクロホン端子に提供するためのオーディオ入力回路をさらに備え、前記電圧比較器はさらに、前記少なくとも１つのマイクロホン端子における電圧を前記第１の閾値未満である第２の閾値と比較し、前記第２の閾値は、前記少なくとも１つのマイクロホン端子に対応する前記消費者オーディオデバイス出力ジャックの端子が前記消費者オーディオデバイス出力ジャックの帰還端子に短絡されることを示し、前記電力管理制御回路は、前記マイクロホン端子電圧検出器が前記少なくとも１つのマイクロホン端子が前記帰還端子に短絡されることを検出したことに応答して、前記オーディオ入力回路を前記パワーダウン状態に設定し、前記アナログ／デジタルコンバータを動作状態に設定する、請求項１７に記載の集積回路。
【国際調査報告】
2018526874.tif 000009
2018526874.tif 000010
2018526874.tif 000011